(57)【要約】【課題】リール本体の前後方向のコンパクト化を図りつつ、ハンドル軸の軸方向のコンパクト化を図る。【解決手段】ハンドル５に連結されてリール本体１に回転可能に設けられたハンドル軸４と、前端にスプール３が取り付けられ、後端に摺動体７が取り付けられたスプール軸９と、ハンドル軸４の回転運動を、摺動体７を介してスプール軸９の軸方向となる前後方向の往復動に変換するオシレーティング機構と、を有する魚釣用スピニングリールであって、リール本体１の後端部に設けられ、スプール軸９が最後端位置に移動した際に、摺動体７の一部を受け入れる挿通部２０を備え、挿通部２０および摺動体７の少なくとも一方には、後端へ向けて移動する摺動体７を挿通部２０内に導く導入手段が設けられている構成とした。【選択図】図２
2011109985.tif 000002
【特許請求の範囲】
【請求項１】
ハンドルに連結されてリール本体に回転可能に設けられたハンドル軸と、前端にスプールが取り付けられ、後端に摺動体が取り付けられたスプール軸と、前記ハンドル軸の回転運動を、前記摺動体を介して前記スプール軸の軸方向となる前後方向の往復動に変換するオシレーティング機構と、を有する魚釣用スピニングリールであって、
前記リール本体の後端部に設けられ、前記スプール軸が最後端位置に移動した際に、前記摺動体の一部を受け入れる挿通部を備え、
前記挿通部および前記摺動体の少なくとも一方には、後端へ向けて移動する前記摺動体を前記挿通部内に導く導入手段が設けられていることを特徴とする魚釣用スピニングリール。
【請求項２】
前記導入手段は、前記挿通部の導入口から前端へ向けて延設されたレール状の案内部を有して前記挿通部に設けられており、
前記案内部は、前端へ向けて前記ハンドル軸の軸方向に拡がるように形成されていることを特徴とする請求項１に記載の魚釣用スピニングリール。
【請求項３】
前記スプール軸の軸方向に沿う前記案内部の長さは、前記挿通部の長さよりも長く形成されていることを特徴とする請求項２に記載の魚釣用スピニングリール。
【発明の詳細な説明】
【技術分野】
【０００１】
本発明は、魚釣用スピニングリールに関する。
【背景技術】
【０００２】
従来の一般的な魚釣用スピニングリールは、主として、ハンドルを回転操作することで駆動される駆動機構と、駆動機構を介して回転駆動されるロータと、ハンドルからの回転力を前後方向の往復動に変換するオシレーティング機構と、オシレーティング機構により前後方向に往復動されるスプール軸と、スプール軸に固定されたスプールとを備え、ハンドルの回転操作によりロータの釣糸案内部を通じて巻き上げられた釣糸が、オシレーティング機構によって往復動するスプールに巻回されるように構成されている。
【０００３】
このような魚釣用スピニングリールにおいて、リール本体の後端部に開口部を挿通部として設けたものも知られている（例えば、特許文献１参照）。
この魚釣用スピニングリールでは、オシレーティング機構のオシレーティングスライダーとしての摺動体が最後端位置に移動した際に、摺動体が挿通部内に位置するように構成されている。
この魚釣用スピニングリールによれば、摺動体が最後端位置に移動した際に、挿通部内に摺動体が位置するので、その分、リール本体の前後方向（スプール軸方向）の長さを短くすることができ、コンパクト化を図ることができる。
【先行技術文献】
【特許文献】
【０００４】
【特許文献１】特許第４０１２０３３号公報
【発明の概要】
【発明が解決しようとする課題】
【０００５】
前記特許文献１では、リール本体の前後方向の長さを短くすることが可能であるが、これとともに、リール本体のハンドル軸の軸方向（リール本体の幅方向、スプール軸に直交する方向）にもコンパクト化を図りたいという要望があった。
ところで、摺動体は、スプール軸により往復動される過程で、ハンドル軸の軸方向に、摺動体の往復動する移動軌跡が所定のスプール軸線に対して僅かにズレ等を生じることがあった。そこで、従来ではこのようなズレ等を生じた場合にも挿通部内に摺動体が挿入されるように、挿通部の内面と摺動体との間に比較的広くされたクリアランスを確保していた。このため、ハンドル軸の軸方向のコンパクト化が難しかった。
【０００６】
本発明は、前記問題を解決するためになされたものであり、リール本体の前後方向のコンパクト化を図りつつハンドル軸の軸方向のコンパクト化を図ることができる魚釣用スピニングリールを提供することを課題とする。
【課題を解決するための手段】
【０００７】
このような課題を解決する本発明の魚釣用スピニングリールは、ハンドルに連結されてリール本体に回転可能に設けられたハンドル軸と、前端にスプールが取り付けられ、後端に摺動体が取り付けられたスプール軸と、前記ハンドル軸の回転運動を、前記摺動体を介して前記スプール軸の軸方向となる前後方向の往復動に変換するオシレーティング機構と、を有する魚釣用スピニングリールであって、前記リール本体の後端部に設けられ、前記スプール軸が最後端位置に移動した際に、前記摺動体の一部を受け入れる挿通部を備え、前記挿通部および前記摺動体の少なくとも一方には、後端へ向けて移動する前記摺動体を前記挿通部内に導く導入手段が設けられている。
【０００８】
この魚釣用スピニングリールによれば、リール本体の後端部にはスプール軸が最後端位置に移動した際に、摺動体の一部を受け入れる開口部としての挿通部が設けられており、挿通部および摺動体の少なくとも一方には、後端に設けて移動する摺動体を挿通部内に導く導入手段が設けられているので、摺動体は、後端に向けて移動する際に、導入手段を介して挿通部内に好適に導かれることとなる。
【０００９】
また、本発明は、前記導入手段が、前記挿通部の導入口から前端へ向けて延設されたレール状の案内部を有して前記挿通部に設けられており、前記案内部は、前端へ向けて前記ハンドル軸の軸方向に拡がるように形成されていることを特徴とする。
【００１０】
この魚釣用スピニングリールによれば、レール状の案内部は、前端へ向けてハンドル軸の軸方向に拡がるように形成されているので、後端に向けて移動する摺動体に、仮に、僅かなズレ等が生じている場合には、レール状の案内部によってこのズレ等が好適に抑制され、摺動体が挿通部に向けてスムーズに導かれることとなる。
【００１１】
また、本発明は、前記スプール軸の軸方向に沿う前記案内部の長さが、前記挿通部の長さよりも長く形成されていることを特徴とする。
【００１２】
この魚釣用スピニングリールによれば、スプール軸の軸方向に沿う案内部の長さは、挿通部の長さよりも長く形成されているので、その分、案内部におけるハンドル軸の軸方向への拡がりを緩やかにすることができる。
【発明の効果】
【００１３】
本発明によれば、後端に設けて移動する摺動体を挿通部内に導く導入手段が設けられ、摺動体は、後端に向けて移動した際に、導入手段を介して挿通部内に好適に導かれることとなるので、摺動体がハンドル軸の軸方向に仮にズレ等を生じた場合でも、導入手段によりズレ等が好適に抑えられて挿通部に向けて摺動体が導かれることとなる。これによって、挿通部内にスムーズに摺動体が挿入され、摺動体の円滑な摺動が実現される。したがって、挿入部と摺動体との間のクリアランスを可及的に小さく設定することができ、その分、リール本体の幅方向であるハンドル軸の軸方向の余分なスペースを排除することができる。
これにより、リール本体の前後方向およびハンドル軸の軸方向のコンパクト化を図ることができる魚釣用スピニングリールが得られる。
【００１４】
また、導入手段のレール状の案内部は、前端へ向けてハンドル軸の軸方向に拡がるように形成されているので、摺動体がハンドル軸の軸方向に仮にズレ等を生じた場合でも、案内部によりズレ等が好適に抑制されて挿通部に摺動体が導かれることとなり、よりスムーズに挿通部内に摺動体が挿入されることとなる。したがって、摺動体の円滑な摺動を実現することができる。
また、案内部は、レール状とされているので、材質や肉厚等を適宜設定することによって弾力性をもたせることが可能となり、仮にズレ等を生じた際に摺動体が当接したときの衝撃を好適に吸収することができる。したがって、より円滑な摺動体の摺動を実現することができる。
【００１５】
また、案内部の長さが挿通部の軸方向の長さよりも長く形成されており、これによって、案内部のハンドル軸の軸方向への拡がりが緩やかにされているので、より一層スムーズに挿通部に向けて摺動体が導かれることとなり、より円滑な摺動体の摺動を実現することができる。
【図面の簡単な説明】
【００１６】
【図１】本発明の一実施形態に係る魚釣用スピニングリールの全体構成を示す図である。
【図２】（ａ）はオシレーティング機構を示す側面図、（ｂ）は挿入部と摺動体との位置関係を示す説明図である。
【図３】（ａ）は図２（ａ）のＡ−Ａ線に基づくリール本体の断面図、（ｂ）は図２（ａ）のＢ−Ｂ線に基づくリール本体の部分断面図、図２（ａ）のＣ−Ｃ線に基づくリール本体の部分断面図である。
【図４】摺動体を示す図であり、（ａ）は平面図、（ｂ）は図４（ａ）のＤ矢視図でありスプール軸と摺動体との連結部分を破線で示した図、（ｃ）は図４（ａ）のＤ矢視図であり案内溝を破線で示した図、（ｄ）は図４（ａ）のＥ矢視図、（ｅ）は図４（ａ）のＦ矢視図である。
【図５】（ａ）は案内部材を示した部分拡大平面図、（ｂ）は案内部材の詳細図、（ｃ）は案内部材の変形例を示す図である。
【図６】（ａ）（ｂ）は作用説明図である。
【図７】（ａ）〜（ｄ）は導入手段の変形例を示す平面図である。
【発明を実施するための形態】
【００１７】
以下、本発明に係る魚釣用スピニングリールの一実施形態について図面を参照しながら説明する。なお、以下の説明において、「前後」「上下」を言うときは、図１に示した方向を基準とし、「左右」を言うときは、図２（ｂ）に示した方向を基準とする。
【００１８】
図１に示すように、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有し、ハンドル５に連結されてリール本体１に回転可能に設けられたハンドル軸４と、前端にスプール３が取り付けられ、後端に摺動体７が取り付けられたスプール軸９と、ハンドル軸４の回転運動を、摺動体７を介してスプール軸９の軸方向となる前後方向の往復動に変換するオシレーティング機構（往復動機構）と、を備えて構成されている。
【００１９】
ハンドル軸４は、リール本体１に装着された図示しない軸受を介して回転可能に支持されており、その図示しない突出端部には、巻き取り操作されるハンドル５が取り付けられている。ハンドル軸４には、軸筒４ａが回り止めされて固定されており、この軸筒４ａには、ロータ２を巻き取り駆動するための内歯が形成されたドライブギャ６が一体的に形成されている。このドライブギャ６は、ハンドル軸４と直交する方向に延出するとともに内部に軸方向に延出する空洞部を有する駆動軸筒８のピニオンギャ８ａに噛合している。
【００２０】
駆動軸筒８は、図３（ａ）に示すように、リール本体１の内面から側方へ向けて突設された支持部１ａに図示しない軸受を介して回転可能に支持されており、その空洞部には、スプール軸９が軸方向に移動可能に挿通されて支持されている。
図１に示すように、駆動軸筒８はスプール３側に向けて延出しており、その前端部において、ナット２ｆを介してロータ２が取り付けられている。また、駆動軸筒８には、その中間部分に転がり式の図示しない一方向クラッチが取り付けられており、リール本体１の下部に設けられた切換部材１２を回動操作することで、一方向クラッチを作動状態と非作動状態とに切り換えるように構成されている。この場合、切換部材を作動状態に切り換えることで、ハンドル５（ロータ２）の逆転方向の回転（釣糸放出方向の回転）が防止されるようになっている。
【００２１】
スプール軸９は、ハンドル軸４と直交する方向（リール本体１の前後方向）に延出しており、前記したように前端にスプール３が取り付けられ、後端にオシレーティング機構の一部をなす摺動体７が取り付けられている。
スプール軸９は、図３（ａ）に示すように、駆動軸筒８の空洞部に挿通されてリール本体１の前後方向に移動可能であり、オシレーティング機構によって往復動可能である。
オシレーティング機構は、いわゆるギャ式のものであり、図１に示すように、ドライブギャ６の図示しない歯車に噛合してこれと連動回転する連動歯車６ａ、連動歯車６ａの回転により往復動する前記した摺動体７と、摺動体７の往復動を案内するガイド１１と、を含んで構成されている。
【００２２】
連動歯車６ａは、その回転中心軸から偏芯して突設された偏芯突起６ｂを有しており、この偏芯突起６ｂは、摺動体７の側面に凹設された案内溝７ｂに係合している。
摺動体７は、図４（ａ）（ｂ）に示すように、スプール軸９の後端部９ｂにねじ７ａで固定されており、スプール軸９の移動に伴って所定のスプール軸線上に沿ってリール本体１内で往復動するように構成されている。なお、摺動体７は、ねじ７ａで固定される前部側に比べて後部側が左右方向に幅狭に形成されており、軽量化、および左右方向（ドライブ軸４の軸方向）のコンパクト化が図られている。
【００２３】
摺動体７は、後端上部７Ａが後方へ膨出した形状を呈しており、この形状に沿って、摺動体７の側面には、図４（ｅ）（ｃ）に示すように、連動歯車６ａの偏芯突起６ｂと係合する案内溝７ｂが凹設されている。このような案内溝７ｂに係合する偏芯突起６ｂは、連動歯車６ａ（図４（ｃ）参照）の回転に伴って溝内を上下方向に往復動する（図４（ｅ）参照）。
【００２４】
また、摺動体７の下部には、ガイド１１が挿通されるガイド孔７ｃが形成されている。
ここで、ガイド１１は、リール本体１の下部に配置される円柱状の軸部材からなる。ガイド１１の前端部は、図３（ａ）（ｂ）に示すように、リール本体１の支持部１ｂに設けられた保持部１ｃと、リール本体１に被せられる蓋部材１０の下部に設けられた保持片１３との間に挟持されている。また、ガイド１１の後端部は、図３（ｃ）に示すように、リール本体１に設けられた保持部１ｄと、蓋部材１０の下部に設けられた保持片１４との間に挟持されている。
【００２５】
このようなオシレーティング機構では、ハンドル５の回転操作によってハンドル軸４が回転されると、ハンドル軸４を通じてドライブギャ６が回転し、ドライブギャ６に噛み合う連動歯車６ａが回転する。連動歯車６ａが回転すると、それに伴って、連動歯車６ａの偏芯突起６ｂが回転し、偏芯突起６ｂと係合する案内溝７ｂの案内によって摺動体７が前後に往復動する。つまり、連動歯車６ａの回転動がスプール軸９の前後動に変換され、摺動体７に取り付けられたスプール軸９が軸方向に沿って往復駆動（前後動）する。
その一方で、ハンドル５の回転操作によってハンドル軸４が回転されると、ドライブギャ６、ピニオンギャ８ａ、駆動軸筒８を介してロータ２が回転駆動される。これによって、スプール３には、ベール支持部材２ｃ（図１参照）に設けた釣糸案内部２ｅを介して、図示しない釣糸が均等に巻回される。
【００２６】
リール本体１の後端部には、図２（ａ）（ｂ）に示すように、リール本体１の内部と外部とを連通する開口部となる挿通部２０が開口形成されている。挿通部２０は、スプール軸９が最後端位置Ｘ３（図６（ａ）（ｂ）参照）に移動した際に、摺動体７の一部である後端上部７Ａをその内側に受け入れるように、その位置および形状が設定されている。
本実施形態の挿通部２０では、図２（ｂ）に示すように、リール本体１の後端部を切り欠くことで形成された上面２１と、下面２２と、これらに連続する側面２３と、この側面２３に対向配置される蓋部材１０の側面１０ｂとで、四方を囲うことにより形成されており、摺動体７を受け入れた状態で、挿通部２０の各面と摺動体７との間には、所定の隙間が形成されるように構成されている。
なお、リール本体１の後端部には、図２（ａ）に示すように、カバー１ｅがねじ１ｆで固定されている。
【００２７】
このような挿通部２０には、図２（ａ）（ｂ）に示すように、後端へ向けて移動する摺動体７を挿通部２０内に導く役割をなす導入手段としての案内部材３０が設けられている。案内部材３０は、図５（ａ）に示すように、挿通部２０の導入口（摺動体７が導入される側の口、挿通部２０の前端開口）に連続して一体的に形成されており、リール本体１および蓋部材１０に一対配置されている。
本実施形態の案内部材３０では、図２（ａ）（ｂ）に示すように、摺動体７の後端上部７Ａ（スプール軸９やガイド１１によって支持された部分から一番離れた部分）をハンドル軸４の軸方向（左右方向）から間隔を空けて挟み込むようにして配置されている。
【００２８】
案内部材３０は、薄板状を呈しており、挿通部２０の導入口から前端へ向けて延設されたレール状（突条であり、接触面積の小さくなる形状）の案内部３１を有している。案内部３１は、前端へ向けてハンドル軸４の軸方向（左右方向）に拡がるように形成されており、案内部３１の後端の幅Ｎ１（側面２３、側面１０ｂ間の幅）に比べて案内部３１の前端の幅Ｎ２が広くなるように設定されている。別言すれば、図５（ｂ）に示すように、片側の案内部３１について説明すると、案内部３１は、側面２３の延長面となる基準面Ｐから所定角度θで傾斜しており、その前端が基準面Ｐから距離Ｌ２だけ摺動体７から離れる側に位置している。つまり、案内部３１は、片側で距離Ｌ２分の拡がりを備えた開口を有しつつ、挿通部２０の導入口に向けて傾斜状に窄まった導入面を有している。
【００２９】
ここで、角度θは、５度＜θ＜４５度の範囲に設定されるのが好ましく、特に、１０度＜θ＜３５度の範囲に設定されるのが好ましい。角度θが５度未満では、案内部３１の前端に摺動体７が当接するおそれがあり、後端へ向けた移動の抵抗となるおそれがある。また、角度θが４５度よりも大きいと、後端へ向けて摺動体７が移動する際に、摺動体７の後端角部７ｅが案内部３１に当接すると、かえって衝撃を生じるおそれがあり、後端へ向けた摺動体７の移動の抵抗となるおそれがある。また、１０度＜θ＜３５度の範囲に設定することにより、摺動体７の後端上部７Ａに仮にズレ（左右方向の偏倚）等が生じた場合にもこれを好適に抑えられるようになり、摺動体７が挿通部２０の導入口に向けて好適に導かれる。
【００３０】
また、案内部材３０は、図５（ｂ）に示すように、基準面Ｐに投影した案内部３１の長さ（スプール軸９に沿う長さ）Ｌ１が、挿通部２０を形成する側面２３の長さＬ３よりも長くなるように設定されている。これにより、角度θを比較的小さな値に設定することができ、案内部３１の傾斜を緩やかなものとすることができる。
なお、案内部３１と挿通部２０の側面２３との接続部分である接続部３２（導入口）は、アール状に形成されており、これによって、摺動体７が案内部３１から挿通部２０に滑らかに導かれるようになっている。
また、案内部材３０は、図２（ａ）に示すように、前後方向において、挿通部２０と連動歯車６ａとの間に形成されたスペースを利用して設けられている。
なお、案内部材３０は、前記した位置に設けたものに限られることはなく、挿通部２０の前端において、上下方向に形成位置をずらして設けてもよい。
【００３１】
なお、案内部３１は、湾曲状とされた部分を有して形成されていてもよい。例えば、図５（ｃ）に示すように、緩やかに連続して湾曲するような案内面を備えて案内部３１ａを形成することにより、後端へ向けて摺動体７が緩やかに導かれるように構成してもよい。
【００３２】
このような案内部材３０は、図６（ａ）（ｂ）に示すように、最前端位置Ｘ１にある摺動体７が最後端位置Ｘ３へ向けて摺動する際に、摺動体７が中央位置Ｘ２付近まで移動してくると、その案内部３１が摺動体７の左右両側に間隔を空けて位置し、摺動体７の挿通部２０に向けた摺動をサポートする。つまり、このときに、仮に、摺動体７にハンドル軸４の軸方向のズレ等が生じている場合には、案内部３１に摺動体７が当接しつつ挿通部２０に向けて摺動するようになり、その過程で摺動体７に生じていたズレ等が修正される（抑えられる）こととなる。したがって、摺動体７は、後端に向けて移動した際に、仮に、ハンドル軸４の軸方向のズレ等を生じていても、案内部材３０を介して挿通部２０内に好適に導かれることとなる。
【００３３】
再び図１を参照して、ロータ２は、スプール３のスカート部３ａ内に位置する円筒部２ａと、一対のアーム部２ｂ（一方のみ図示）を具備している。アーム部２ｂの前端部には、ベール支持部材２ｃが回動自在に支持されており、ベール支持部材２ｃには、放出状態にある釣糸をピックアップするベール２ｄが配設されている。
【００３４】
スプール３は、スカート部３ａと前側フランジ３ｂとの間に図示しない釣糸が巻回される釣糸巻回胴部３ｃを備えており、スプール軸９に図示しないドラグ機構を介して摩擦結合され、ノブ９ａを回動操作することでスプール３のドラグ力が調節される。
【００３５】
以上説明した本実施形態の魚釣用スピニングリールによれば、リール本体１の後端部にはスプール軸９が最後端位置Ｘ３に移動した際に、摺動体７の一部を受け入れる挿通部２０が設けられており、挿通部２０には、後端に設けて移動する摺動体７を挿通部２０内に導く案内部材３０が設けられているので、摺動体７は、後端に向けて移動した際に、案内部材３０を介して挿通部２０内に好適に導かれることとなる。
したがって、摺動体７がハンドル軸４の軸方向に仮にズレ等を生じた場合でも、案内部材３０によりズレ等が好適に抑えられて挿通部２０に向けて摺動体７が導かれることとなる。これによって、挿通部２０内にスムーズに摺動体７が挿入され、摺動体７の円滑な摺動が実現される。したがって、挿通部２０と摺動体７との間のクリアランスを可及的に小さく設定することができ、その分、リール本体１の幅方向であるハンドル軸４の軸方向の余分なスペースを排除することができる。
これにより、リール本体１の前後方向およびハンドル軸４の軸方向のコンパクト化を図ることができる魚釣用スピニングリールが得られる。
【００３６】
また、レール状の案内部３１は、前端へ向けてハンドル軸４の軸方向に拡がるように形成されているので、摺動体７がハンドル軸４の軸方向に仮にズレ等を生じた場合でも、案内部３１によりズレ等が好適に抑制されて挿通部２０に摺動体７が導かれることとなり、よりスムーズに挿通部２０内に摺動体７が挿入されることとなる。したがって、摺動体７の円滑な摺動を実現することができる。
これにより、リール本体１の前後方向およびハンドル軸４の軸方向のコンパクト化を図ることができる。
【００３７】
また、案内部３１は、レール状とされているので、材質や肉厚等を適宜設定することによって弾力性をもたせることが可能となり、仮にズレ等を生じて摺動体７が当接した際にも、その衝撃を好適に吸収することができる。したがって、より円滑な摺動体７の摺動を実現することができる。
これにより、リール本体１の前後方向およびハンドル軸４の軸方向のコンパクト化を図ることができる。
【００３８】
また、スプール軸９の軸方向に沿う案内部３１の長さＬ１は、挿通部２０の長さＬ３よりも長く形成されているので、案内部３１のハンドル軸４の軸方向への拡がり（傾斜）が緩やかになる。これによって、より一層スムーズに挿通部２０に向けて摺動体７が導かれることとなり、より円滑な摺動体７の摺動が実現される。
これにより、リール本体１の前後方向およびハンドル軸４の軸方向のコンパクト化を図ることができる。
【００３９】
また、案内部材３０は、図２（ａ）に示すように、前後方向において、挿通部２０と連動歯車６ａとの間に形成されたスペースを利用して設けられているので、十分な設置スペースの確保が難しいリール本体１の内側においても、狭いスペースを有効に利用した摺動体７のガイドが実現される。
【００４０】
図７（ａ）〜（ｃ）は本実施形態の魚釣用スピニングリールの要部の変形例を示す図である。図７各図に示すように、これらの変形例が前記実施形態と異なるところは、案内部材３０を設けずに、挿通部２０や摺動体７に対して直接に導入手段を設けている点である。
図７（ａ）では、挿通部２０の導入口において、側面２３および側面１０ｂを、前端へ向けてハンドル軸４の軸方向（左右方向）に拡がるように形成しており、これによって導入手段となる案内面２４，１０ｃを設けている。
また、図７（ｂ）では、挿通部２０の側面２３および側面１０ｂの全体を、後端から前端へ向けてハンドル軸４の軸方向（左右方向）に拡がるように形成しており、これによって導入手段を備えた側面２３および側面１０ｂとしている。
また、図７（ｃ）では、摺動体７の後端部を後端へ向けてハンドル軸４の軸方向（左右方向）に窄まるように形成して、導入手段となる案内面７ｄ，７ｄを設けている。
【００４１】
以上のような変形例の魚釣用スピニングリールにおいても、前記した実施形態と同様の作用効果が得られる。
また、図７（ａ）における案内面２４，１０ｃや図７（ｂ）における側面２３，１０ｂ、さらには、図７（ｃ）における案内面７ｄ，７ｄに対して、前記した実施形態と同様のレール状の案内部を設けることによって、前記した実施形態と同様の作用効果が得られる。
また、これらの案内面２４，１０ｃ、側面２３，１０ｂおよび案内面７ｄ，７ｄは、曲面を含むものとしてもよい。また、それぞれを組み合わせてもよい。
【００４２】
なお、前記実施形態では、案内部材３０をリール本体１や蓋部材１０に一体的に形成したものを示したが、これに限られることはなく、リール本体１や蓋部材１０と別体に形成してもよい。
また、摺動体７に対する案内部３１の相対位置が固定されるものであれば、案内部材３０とリール本体１や蓋部材１０との間に別部材が介在されてもよい。
【００４３】
また、図７（ｄ）に示すように、ばね部材３３をリール本体１および蓋部材１０に取り付けて導入手段を構成してもよい。
ばね部材３３は、リール本体１および蓋部材１０に取り付けるための取付部３３ａと、前記した実施形態の案内部３１と同様の役割をなす弾性片３３ｂとからなる。
【００４４】
導入手段をこのようなばね部材３３とすることにより、ズレ等を生じて摺動体７が当接した際の衝撃を弾性片３３ｂで好適に吸収することができ、より円滑な摺動体７の摺動を実現することができる。
【符号の説明】
【００４５】
１      リール本体
３      スプール
４      ハンドル軸
５      ハンドル
７      摺動体
９      スプール軸
２０    挿通部
３０    案内部材
３１    案内部
３１ａ  案内部
Ｘ１    最前端位置
Ｘ３    最後端位置
【図１】
2011109985.tif 000003
【図２】
2011109985.tif 000004
【図３】
2011109985.tif 000005
【図４】
2011109985.tif 000006
【図５】
2011109985.tif 000007
【図６】
2011109985.tif 000008
【図７】
2011109985.tif 000009